(57)【要約】【課題】安価な構成で種々の眼科検査を行うことが可能な眼科検査装置を提供する。【解決手段】眼科検査に共通に必要な眼底照明光学系と照明された眼底を結像する結像光学系を、本体１０に内蔵させ、この本体とマウント５１を介して取り付けられる取り付けユニット５０を設け、この取り付けユニットに種々の眼科検査機能を持たせるようにする。取り付けユニットごとに、例えば、結像された眼底を平面的あるいは立体的に観察ないし撮影する装置、眼底に刺激光を投光する装置、眼底を分光解析する装置のような異なる装置を設けることによって、取り付けユニットを取り替えるだけで、眼底カメラからＥＲＧ検査や視野検査、あるいは分光解析検査ができる眼科検査装置が得られる。【選択図】図１
2005323815.tif 000002
【特許請求の範囲】
【請求項１】
複数の眼科検査機能を有する眼科検査装置であって、
被検眼眼底を照明する照明光学系と照明された被検眼眼底を結像する結像光学系を内蔵した本体と、
前記本体に着脱自在に取り付けられる複数の取り付けユニットとを有し、
取り付けユニットごとに異なる眼科検査機能を設け、装着される取り付けユニットに応じて異なる眼科検査機能が得られるようにしたことを特徴とする眼科検査装置。
【請求項２】
前記眼科検査機能は、結像された眼底を平面的あるいは立体的に観察ないし撮影する機能、眼底に刺激光を投光する機能、眼底を分光解析する機能であることを特徴とする請求項１に記載の眼科検査装置。
【請求項３】
前記結像光学系は、被検眼の眼底を視野絞りの近傍に結像する第１の光学系と、該第１の光学系により結像した眼底像を取り付けユニット内に再結像する第２の光学系とからなることを特徴とする請求項１又は２に記載の眼科検査装置。
【請求項４】
前記眼底の観察は、取り付けユニットに接眼ユニットを設けることにより行われることを特徴とする請求項２又は３に記載の眼科検査装置。
【請求項５】
前記接眼ユニットには、その不使用時の際、迷光の進入を防ぐための遮光手段が設けられることを特徴とする請求項４に記載の眼科検査装置。
【請求項６】
前記接眼ユニットには、肉眼観察に代わってモニタで観察を可能にするための撮像装置が装着可能であることを特徴とする請求項４又は５に記載の眼科検査装置。
【請求項７】
被検眼の瞳と光学的に共役な位置が、取り付けユニットを本体に取り付けるためのマウント近傍に存在することを特徴とする請求項１から６のいずれか１項に記載の眼科検査装置。
【請求項８】
取り付けユニット内に、立体撮影のための光路分割手段が設けられ、この光路分割手段は、取り付けユニットが装着されたとき、前記瞳と共役位置近傍に配置されることを特徴とする請求項７に記載の眼科検査装置。
【請求項９】
前記光路分割手段は、第２の光学系に配置された変倍レンズの選択によって、光路に挿入されることを特徴とする請求項８に記載の眼科検査装置。
【請求項１０】
前記結像光学系で結像された眼底を撮像する撮像装置が本体内に設けられることを特徴とする請求項１から９のいずれか１項に記載の眼科検査装置。
【請求項１１】
前記照明光学系は、眼底を赤外光あるいは可視光で照明することを特徴とする請求項１から１０のいずれか１項に記載の眼科検査装置。
【請求項１２】
前記本体内に設けられた撮像装置は、赤外光に対して感度を持つことを特徴とした請求項１０又は１１に記載の眼科検査装置。
【請求項１３】
前記本体内の撮像装置は、取り付けユニットに設けられる撮像装置よりも広範囲の眼底を撮影することを特徴とする請求項１０から１２のいずれか１項に記載の眼科検査装置。
【請求項１４】
眼底を分光解析するための取り付けユニットは、マウント近傍の瞳と共役な位置にある回転ミラーの回転に応じて形成される眼底のスリット像を分光解析する光学系を内蔵することを特徴とする請求項２から１３のいずれか１項に記載の眼科検査装置。
【請求項１５】
前記照明光学系に撮影光源が配置され、その撮影光量が、取り付けユニット内の撮像装置の起動に応じて制御されることを特徴とする請求項１から１４のいずれか１項に記載の眼科検査装置。
【請求項１６】
前記本体にスイッチを設け、前記スイッチは撮影光発光のためのシャッタスイッチとして、あるいは眼科検査のスタートスイッチとして機能することを特徴とする請求項１５に記載した眼科検査装置。
【発明の詳細な説明】
【技術分野】
【０００１】
本発明は、複数の眼科検査機能を有する眼科検査装置に関する。
【背景技術】
【０００２】
従来から眼底カメラや視野計など種々の眼科検査装置が知られており、たとえば、眼底カメラの場合、照明された眼底を一旦結像したあと、それに変倍をかけてＣＣＤ撮像面に再結像して、倍率の異なる眼底像を撮影する機能が設けられている（特許文献１）。同様に、照明された眼底を一旦結像したあと、それに変倍をかけその後瞳共役位置で眼底像を分割し立体観察ができるようにした眼底カメラも知られている（特許文献２）。
【０００３】
また、眼底を撮影する撮影ユニットを、照明光学系と撮影光学系を内蔵した本体と別体にし、撮影ユニット側に、接眼レンズを設けた眼底カメラも知られている（特許文献３）。
【特許文献１】特許３３５９１２６号
【特許文献２】特開昭５４−６２６９１号公報
【特許文献３】特開平１０−１５５７４３号公報
【発明の開示】
【発明が解決しようとする課題】
【０００４】
しかしながら、従来の眼科検査装置では、眼底の観察並びに撮像、あるいは視野検査など単種の眼科検査を主目的としており、多種の眼科検査を行うことはできず、また多種の眼科検査を行う装置は、光学系が複雑になるなど、問題点が多かった。
【０００５】
本発明は、このような問題点を解決するためになされたもので、安価な構成で種々の眼科検査を行うことが可能な眼科検査装置を提供することを課題とする。
【課題を解決するための手段】
【０００６】
本発明は、
複数の眼科検査機能を有する眼科検査装置であって、
被検眼眼底を照明する照明光学系と照明された被検眼眼底を結像する結像光学系を内蔵した本体と、
前記本体に着脱自在に取り付けられる複数の取り付けユニットとを有し、
取り付けユニットごとに異なる眼科検査機能を設け、装着される取り付けユニットに応じて異なる眼科検査機能が得られるようにしたことを特徴とする。
【発明の効果】
【０００７】
本発明では、眼科検査に共通に必要な眼底を照明する照明光学系と照明された眼底を結像する結像光学系を、本体に内蔵させ、この本体とマウントを介して取り付けられる取り付けユニットに種々の眼科検査機能を持たせるようにしているので、取り付けユニットを代えるだけで種々の眼科検査を行うことができる。例えば、複数の取り付けユニットを設け、取り付けユニットごとに、結像された眼底を平面的あるいは立体的に観察ないし撮影する装置、眼底に刺激光を投光する装置、眼底を分光解析する装置など異なる検査装置を設けることによって、取り付けユニットを取り替えるだけで、眼底カメラからＥＲＧ検査や視野検査、あるいは分光解析検査ができる眼科検査装置が得られる。このような眼科検査装置では、かなりの部分を本体に共通に持たせることができるので、大幅なコストダウンができる多機能の眼科検査装置が得られる。
【発明を実施するための最良の形態】
【０００８】
本発明は、眼底を照明する照明光学系と照明された眼底を結像する結像光学系などの主たる光学系を装置本体内に設け、眼科検査機能ないし装置を別体の取り付けユニットに設け、取り付けユニットを本体にマウントを介して取り付けることにより、種々の眼科検査機能を実現するようにしたもので、以下に図面に示す実施例に基づいて本発明を詳細に説明する。
【実施例１】
【０００９】
図１には、本発明の第１の実施例が図示されており、この実施例では眼科検査装置が無散瞳眼底カメラとして構成される。
【００１０】
図１に示す眼科検査装置において、装置本体１０には、眼底を照明する照明光学系と、照明された眼底を結像する結像光学系が設けられている。照明光学系では、ハロゲンランプなどの光源１１から発せられた光並びに凹面鏡１２で反射した光は、可視カット赤外透過フィルタ１３を介して赤外光となり、ストロボ１４を通過して拡散板１５に入射して拡散され、被検眼１の前眼部（瞳）１ｂと共役な位置に配置されたリングスリット１６を照明する。このリングスリット１６からの照明光は、レンズ１７、対物レンズ２２の反射を除去するための黒点板１８、ハーフミラー１９、リレーレンズ２０を通過し、中心に穴の開いた穴あき全反射ミラー２１で反射されてから対物レンズ２２を経て、被検眼１の前眼部１ｂより眼底１ａに入射し、眼底１ａを赤外光で照明する。
【００１１】
眼底１ａからの反射光は、対物レンズ２２を介して受光され、穴あき全反射ミラー２１の穴を通過して撮影絞り３１、フォーカスレンズ３２、結像レンズ３３を通過して、ハーフミラー３４で反射され、眼底１ａと共役な位置に配置された視野絞り３５を介して赤外透過可視反射ミラー３６に入射する。赤外透過可視反射ミラー３６を透過した赤外光は、ミラー３８で反射され、結像レンズ３７を通過して赤外光に感度を有する赤外ＣＣＤなどで構成される撮像装置４０に入射され、モニタ４１にその信号が入力される。
【００１２】
また、ミラー３６で反射された可視光は、少なくとも２種類の変倍レンズ４７ａ、４７ｂのいずれかを介して、取り付けユニット５０に入射し、そこに内蔵された可視光に感度を有する可視ＣＣＤなどで構成される撮像装置５３で受光される。取り付けユニット５０は、本体１０において瞳共役位置近傍に固定されたマウンタ５１に着脱可能に取り付けられ、装着されたときコネクタ５２を介してシャッタ４６からのシャッタ操作信号を取り込み、この操作信号を、撮像装置５３並びに撮像装置で撮像された画像を記憶するメモリ５４に供給する。撮像装置５３並びにメモリ５４には、コネクタ５２を介して本体１０側から給電が行われる。
【００１３】
このような結像光学系において、被検眼１の眼底１ａと共役な位置がＲで、また前眼部（特に瞳）と共役な位置がＰで図示されており、視野絞り３５は、対物レンズ２２、結像レンズ３３などで構成される光学系（第１の光学系）に対して眼底共役位置に配置されるので、この光学系による眼底像は視野絞り近傍に結像され、また、撮像装置４０の撮像面は、結像レンズ３７に関して視野絞り３５と共役な位置に、また撮像装置５３の撮像面は、変倍レンズ４７ａ、４７ｂ（第２の光学系）に関して視野絞り３５と共役な位置に配置されるので、視野絞り３５の眼底像は、結像レンズ３７、並びに変倍レンズ４７ａ、４７ｂで再結像され、撮像装置４０、５３は、結像された眼底像を撮影することができる。
【００１４】
このような構成において、可視カット赤外透過フィルタ１３が照明光路に挿入されているので、眼底が赤外光で照明され、眼底像が対物レンズ２２、フォーカスレンズ３２、結像レンズ３３により視野絞り３５の位置に結像される。視野絞り３５の眼底像は、赤外透過可視反射ミラー３６を透過して結像レンズ３７により撮像装置４０の撮像面に再結像されるので、眼底像がモニタ４１に白黒画像として表示され、検者はモニタ４１を介して眼底像を観察できる。
【００１５】
なお、照明光学系には、フォーカスドット光源３０が設けられ、この光源３０からの光束がハーフミラー１９を介して眼底１ａに入射され、フォーカスレンズ３２の移動に応じてフォーカスドット位置が変化するので、検者はフォーカスドットを観察することにより被検眼にピントを合わせることができる。また、アライメントの初期段階では、前眼部レンズ４２が挿入されるので、検者は被検眼１の前眼部１ｂの画像をモニタ４１で確認することができる。また、アライメントや合焦操作のときは、内部固視灯４３が点灯され、検者は被検者にこの固視灯を注視させることによりアライメントや合焦操作を確実にすることができる。
【００１６】
アライメントが完了すると、シャッタスイッチ４６が操作され、そのシャッタ操作信号がコネクタ５２を介して取り付けユニット５０の撮像装置５３とメモリ５４に入力され、撮像装置５３が起動されて、眼底の静止画の取り込み動作に入るとともに、シャッタスイッチ４６の操作信号に同期して撮像装置５３からストロボ１４に発光を指示する信号（光量制御信号）が伝えられるので、ストロボ１４が発光する。ストロボ１４の発光により照明された眼底像は、視野絞り３５の位置に一旦結像されたあと、変倍レンズ４７ａ（４７ｂ）により撮像装置５３の撮像面に再結像されるので、撮像装置５３は、眼底を静止画として撮像する。
【００１７】
この撮像装置５３で撮像された静止画は、取り付けユニット５０内のメモリ５４に保存される。メモリ５４に保存された静止画は外部パソコン（不図示）に取り込まれたり、モニタ４１に表示されたり、あるいはプリンタ（不図示）に出力される。あるいはメモリ５４そのものをカートリッジのようにして、取り付けユニット５０から取り外せるように構成し、それを他の機器に挿入したとき、該機器でメモリの内容を読み出すようにすることもできる。
【００１８】
なお、眼底像は、撮影光学系に配置された変倍レンズ４７ａ、４７ｂにより、あるいはこれに代わるズームレンズにより撮影倍率を変えて撮像することができ、倍率が大きいときは、視野絞り３５が撮影されないような拡大された眼底像が撮影され、また低倍率のときは、視野絞りも取り込んだ眼底像が撮影される。例えば、倍率を２種類に変えて撮影し、それをメモリ５４から読み出してモニタ４１に表示した場合の画像が、模式的にＡ、Ｂとして図１の右上に図示されている。Ａは、高倍率で撮影した眼底像であり、Ｂは低倍率で撮影した眼底像であり、その周辺には斜線で引いた視野絞りの像も撮影されていることがわかる。これにより、検者は、視野絞りの写りを見ることにより、およその撮影倍率を識別することができる。
【００１９】
また、観察光学系に配置された撮像装置４０に入射する像には、変倍作用がなく検者はモニタ４１に同一倍率の白黒画像を観察する。このとき、アライメントを行い易くするために、撮像装置５３が撮像する範囲より広い範囲の画像Ｃを、撮像装置４０が撮影できるように、撮像装置４０に至る光学系の倍率を設定しておく。これにより、撮像装置４０によるアライメントは変倍レンズ４７ａ（４７ｂ）の変倍にかかわらず常に広角で行うことが可能となる。
【実施例２】
【００２０】
図２には、他の実施例が図示されており、同一あるいは同様な機能を有する部分には、同一の符号を付しその詳細な説明は省略する。この実施例の眼科検査装置は、散瞳／無散瞳眼底カメラとして使用でき、取り付けユニット５０に、撮像装置５３並びにメモリ５４に接続されるモニタ５５が設けられ、このモニタ５５に、撮像装置５３からの信号、あるいはメモリ５４からの信号を送って眼底像を表示できるようになっている。
【００２１】
眼科検査装置が無散瞳眼底カメラとして使用される場合は、実施例１と同様に、可視カット赤外透過フィルタ１３が挿入され、検者は、撮像装置４０からの眼底像を観察する。一方、散瞳カメラとして使用される場合には、可視カット赤外透過フィルタ１３が光路から離脱され、眼底は可視光で照射されるので、検者は、撮像装置５３で撮影され、モニタ５５に表示される眼底像を観察する。
【００２２】
撮像装置５３で静止画像として撮像された眼底像は、無散瞳でも散瞳でも、直接モニタ５５により表示でき、あるいはメモリ５４に一旦格納して、それを読み出しモニタ５５に表示させることができる。
【００２３】
この実施例２において、モニタ５５は、本体１０のモニタ４１を代用することもでき、あるいは撮像装置５３にモニタを設けたり、取り付けユニット５０の外部に設けたモニタを用いることもできる。モニタ４１を用いる場合には、一点鎖線で示したように、撮像装置５３及びメモリ５４からの信号をモニタ４１に導くようにする。
【００２４】
なお、散瞳と無散瞳モードで観察画像を表示する場合、両モードに応じて可視カット赤外透過フィルタ１３の挿脱が行われるので、そのフィルタの挿脱に応じて、撮像装置４０からの画像を表示するか、撮像装置５３からの画像を表示するかを自動切換するようにしてもよい。
【００２５】
また、散瞳モード時には、被検眼保護のため、フィルタ１３に代わり、赤外カット可視透過フィルタを挿入するようにしてもよい。
【実施例３】
【００２６】
図３に示した実施例では、図２と同様に、眼科検査装置は、散瞳及び無散瞳眼底カメラとして使用される。図３において、図１、図２と同一あるいは同様な機能を有する部分には、同一の符号を付しその詳細な説明は省略する。なお、この実施例に関しては、図７にその外観が図示されている。
【００２７】
この実施例では、取り付けユニット５０に、接眼機能が設けられ、マウント５１と撮像装置５３間の光路にリターンミラー６０が配置され、このリターンミラー６０が図示の位置にある場合、リターンミラーで反射された眼底像は、プリズム６１、レンズ６２を介して接眼レンズ６３に導かれ、接眼レンズを介して眼底像が観察できる。この場合、接眼部の見口６４には不使用時迷光が入るのを防止するためにキャップ（遮光手段）６７が取り付けられるようになっている。接眼レンズ６３は、実施例２のモニタ５５の近辺に位置して、本体内のモニタ４１とは互いに大きく干渉しあわない程度に、好ましくは対物レンズ２２の光軸と合致するような位置に配置される。これにより、検者はアライメントを容易に行うことができる。
【００２８】
また、見口６４には、ＣＣＤからなる別の撮像装置６５が取り付けられるようになっていて、撮像装置６５からの眼底像がコネクタ６６を介してモニタ４１に送られ、モニタ４１に表示できるようになっている。モニタは、別の表示装置などで表示してもよいが、本体１０内のモニタを使えば安価な構成とすることができる。
【００２９】
このような構成で、無散瞳眼底カメラとして使用される場合は、観察時は、実施例１、２と同様に、可視カット赤外透過フィルタ１３が光路に挿入され、撮像装置４０からの眼底像がモニタ４１に表示され、検者は眼底像を見ながらアライメントや合焦操作を行う。一方、散瞳眼底カメラとして使用される場合は、可視カット赤外透過フィルタ１３が光路から退避され、可視光で照射された眼底像は、ミラー３６で反射されてから変倍レンズを通過してリターンミラー６０で反射され、接眼レンズ６３を介して観察される。この眼底像は、接眼レンズ６３を介してではなく、見口６４にＣＣＤなどの撮像装置６５を取り付け、撮像装置６５からの眼底像をモニタ４１に表示して観察することもできる。
【００３０】
撮影時は、無散瞳モード、散瞳モードとも、リターンミラー６０が光路から退避され、撮像装置５３で撮影された眼底像が一旦メモリ５４に格納され、それが、外部パソコンに取り込まれたり、モニタ４１に表示されたり、あるいはプリンタに出力される。メモリ５４が、取り外せる場合にはそれを他の機器に挿入し、その機器でメモリの内容を読み出すこともできる。
【００３１】
また、この実施例では、接眼レンズを介した肉眼観察は撮影倍率と同じ倍率で行え、撮像装置４０によるアライメントは、実施例１と同様に、変倍にかかわらず常に広角で行える、という利点が得られる。
【実施例４】
【００３２】
図４には、他の実施例が図示されており、図２、図３と同様に、眼科検査装置は、散瞳及び無散瞳眼底カメラとして使用される。図４において、図１、図２、図３と同一あるいは同様な機能を有する部分には、同一の符号を付しその詳細な説明は省略する。
【００３３】
図４の実施例では、眼科検査装置は、眼底が立体的に観察及び撮影できる機能を有しており、そのために、光線を分割するための複数開口３１’が撮影絞り３１に近接して光路に挿入され、また取り付けユニット５０内には、分割プリズム（光路分割手段）７０が設けられ、その分割プリズム直前で、被検眼前眼部の瞳と共役位置Ｐに複開口絞り７１が配置される。分割プリズム７０を通過した眼底像は、リターンミラー７２を介して眼幅調節用のプリズム７４に入射し、右目用の接眼レンズ７５ａと左目用の接眼レンズ７５ｂからなる双眼接眼ユニットを介して検者に立体観察される。また、リターンミラー７２が光路から退避されると、眼底像は、レンズ７３ａ、７３ｂを介して撮像装置５３に入射され、眼底の立体像が撮像される。この撮像装置５３は、アダプタ７６を介して取り付けユニットに取り付けられ、この撮像装置に代え、立体専用の撮像装置を取り付けることもできる。なお、本体１０内の照明光学系に配置されたリングスリットは、立体観察、撮影用のリングスリット１６’に置き換える。また、双眼接眼ユニットを介して眼底を観察する場合には、フィルタ１３を光路から離脱するようにする。このような構成では、眼底は、実施例１ないし３のように平面的ではなく、立体的に観察され、また撮像されるので、眼底を多角的に検査できる。
【００３４】
なお、図４では、複数開口３１’並びに取り付けユニット５０内の各光学素子は、紙面に対して直交する方向に配置されるが、便宜上紙面に対して直交する方向から見たものが図示されている。
【００３５】
図４の実施例において、複数開口３１’、分割プリズム７０、複開口絞り７１、リターンミラー７２並びにレンズ７３ａ、７３ｂを連動化し、変倍レンズ４７ａ、４７ｂの選択に応じて、例えば高倍率の変倍レンズが選択されたときに、光路に挿入するようにすると、立体撮影のたびにユニット５０を交換せずに済むので好ましい構成が得られる。
【００３６】
実施例１から実施例４では、マウント５１の付近に瞳共役位置Ｐがあるので、通常撮影の機能を有する取り付けユニットと、立体撮影機能のある取り付けユニットを簡単に使い分けることができる。また、立体撮影時のモニタ４１によるアライメントは、通常撮影と同じ１画面（分割画面でないということ）であり、通常撮影用のフォーカスドット・ワーキングドットがそのまま使えるので、検者は困難なくアライメントを行うことができる。
【実施例５】
【００３７】
図５には、更に他の実施例が図示されており、この実施例の場合には、眼科検査装置は、視野計として機能する。図５において、図１から図４と同一あるいは同様な機能を有する部分には、同一の符号を付しその詳細な説明は省略する。
【００３８】
図５の実施例では、視野計として機能させるために、取り付けユニット５０には、眼底共役位置Ｒにおいて光路に対して直交する平面内で手動であるいは自動的に移動できる可動式の可視光及び赤外光を発光する発光ダイオード８０が設けられる。この発光ダイオード８０は、ＥＲＧ（ElectroRetinoGram；網膜電位図）用の投影指標として機能し、シャッタスイッチ４６が操作されると、制御部８１により点灯されて可視光及び赤外光を発光し、その可視光は、変倍レンズ４７ａ（４７ｂ）を通過して、ミラー３６で反射され、ミラー３４、レンズ３３、３２、穴あき全反射ミラー２１の穴、並びに対物レンズ２２を介して被検眼の瞳１ｂから眼底１ａに刺激光として投影される。被検眼には、ＥＲＧ電極８２が取り付けられ、この電極からの信号がモニタ８５並びに外部記憶装置８６を備えた眼底像ファイリング装置として機能するコンピュータ（パソコン）８４に入力されて網膜電位図が作成され、それがモニタ８５に表示されたり、外部記憶装置８６に格納される。
【００３９】
この実施例の場合、赤外光に感度を有する撮像装置４０に、発光ダイオード８０による投影指標を写し込み、モニタ４１に表示できるようにするために、ミラー３６を透過した発光ダイオード８０からの赤外光がミラー９１、９２、並びにハーフミラー９３を介してミラー３８で反射され、撮像装置４０に入射されるようにする。その場合、ミラー９１は、視野絞り３５と共役な位置に配置され、視野絞り３５とミラー３６間の距離ａはミラー９２と９３間の距離と等しくされる。
【００４０】
また、発光ダイオード８０からの可視光が結像レンズ３３の表面で反射されて反射光として戻り、撮像装置４０に入射されるのを防止するために、赤外透過可視反射ミラー３６とハーフミラー９３間に赤外光を透過し可視光を反射するフィルタ９０が挿入される。この場合、フィルタ９０は赤外透過特性を有するので、観察光はこのフィルタ９０でカットされることなく、撮像装置４０に入射される。
【００４１】
この実施例で、発光ダイオード８０に代え、取り付けユニット５０内の眼底共役面Ｒに液晶表示装置（ＬＣＤ）８７を配置することもできる。この液晶表示装置８７は、制御部８１を介してコンピュータ８４に接続され、表示装置８７には、視標、文字、縞模様などが表示される。この表示された視標などは、発光ダイオード８０による指標と同様に、被検眼の眼底に刺激光として投影される。例えば、視標は、シャッタスイッチ４６の操作ごとに、あるいは所定のプログラムに沿ってコンピュータ８４により表示装置８７の種々の位置に表示され、眼底に投影されるので、被検者がその視標を認識したときには、応答スイッチ８３を操作し、その信号をコンピュータ８４に取り込むことによって被検者の視野を測定することができる。また、表示装置８７に文字を表示させ、弱視を検査するために、被検者の文字認識が正しいかどうかを検査することもできる。その場合、認識した文字を入力させるために、パソコンのキーボードやタッチパネルなどの入力手段を設けるようにする。
【００４２】
発光ダイオードを用いたＥＲＧ検査並びに液晶表示装置を用いた検査のいずれでも、アライメント作業が必要となるが、これは、眼底には赤外光を照射して、その反射光を撮像装置４０で撮像し、眼底像をモニタ４１に表示することにより行われる。また、いずれの場合も、アライメント終了後に操作されるシャッタスイッチ４６が検査開始スタートスイッチの役割をする。
【実施例６】
【００４３】
図６には、更に他の実施例が図示されており、この実施例の場合には、眼科検査装置は、眼底像を分光解析して検査する機能を有する。図６において、図１から図５と同一あるいは同様な機能を有する部分には、同一の符号を付しその詳細な説明は省略する。
【００４４】
図６の実施例では、眼底像を分光解析するために、取り付けユニット５０内の瞳共役位置Ｐには、例えばステッピングモータにより構成されるミラー回転装置１０１を用いて間欠的に駆動されるミラー１００が配置される。ミラー１００で反射された眼底像は、レンズ１０２を通過してミラー１０３で反射され、続いてスリット１０４を通過してミラー１０５で反射され、レンズ１０６を通過して、分光素子１０７に入射する。分光素子１０７は、特開２００２−２２４０４１号公報に記載されたプリズム・グレーティング・プリズム（ＰＧＰ）と同様な構成であり、スリット１０４によりスリット像となった眼底像を、スリットの長手方向と垂直方向に所定の波長帯域幅に渡って分光する。この分光された眼底像は、レンズ１０８を通過してＣＣＤなどで構成される撮像装置１０９に入射し、眼底のスリット像の分光画像が撮影され、その分光画像がメモリ１１０に格納される。
【００４５】
このような構成で、アライメントが完了すると、シャッタスイッチ４６が操作され、光源１１が点灯されて眼底が照明されるとともに、ミラー１００が、ステッピングモータにより所定ステップづつ回転される。ミラーの回転に応じてスリット１０４に結像される眼底像のライン位置が変化し、ミラー１００の位置に応じて、眼底の各ライン位置でのスリット像が撮像装置１０９により撮影される。撮像装置１０９により撮影された各ライン位置での眼底のスリット像の分光データは、ミラー回転装置１０１から得られる眼底のライン位置に同期してメモリ１１０に取り込まれてラインごとに記憶され、分光画像解析装置（不図示）により分光解析される。
【００４６】
このように、眼底像の分光解析機能を有する取り付けユニットを装着するだけで、実施例１、２などの眼底撮像機能を、本体の大部分を共通にして、眼底像分光解析機能を持った装置に変えることができる。
【図面の簡単な説明】
【００４７】
【図１】眼科検査装置の第１の実施例の構成を示した光学図である。
【図２】眼科検査装置の第２の実施例の構成を示した光学図である。
【図３】眼科検査装置の第３の実施例の構成を示した光学図である。
【図４】眼科検査装置の第４の実施例の構成を示した光学図である。
【図５】眼科検査装置の第５の実施例の構成を示した光学図である。
【図６】眼科検査装置の第６の実施例の構成を示した光学図である。
【図７】取り付けユニットを装着した状態の眼科検査装置の外観を示す斜視図である。
【符号の説明】
【００４８】
１０  装置本体
２２  対物レンズ
３５  視野絞り
４０  撮像装置
４１  モニタ
５０  取り付けユニット
５１  マウント
５３  撮像装置
７０  分割プリズム
８０  発光ダイオード
８７  液晶表示装置
１０７  分光素子
【図１】
2005323815.tif 000003
【図２】
2005323815.tif 000004
【図３】
2005323815.tif 000005
【図４】
2005323815.tif 000006
【図５】
2005323815.tif 000007
【図６】
2005323815.tif 000008
【図７】
2005323815.tif 000009